(57)【要約】      （修正有）【課題】内部ケーシング下半を天井クレーンで吊り上げるときに、天井クレーンのフックから内部ケーシングの吊り位置までの鉛直方向の距離をできるだけ短くし、発電機や湿分分離器等の機器との干渉を回避する。【解決手段】内部ケーシング下半６を吊り上げるための玉掛け装置は、内部ケーシング下半６の水平フランジ面１４にボルトで締結される板状構造の吊りプレート２２を備え、吊りプレート２２の上面に、吊りワイヤ８が接続される吊りボルト２４が、少なくとも方形の頂点４箇所に配置される。【選択図】図１
2015071494.tif 000002
【特許請求の範囲】
【請求項１】
発電プラントに設置された既設の蒸気タービンを新製する蒸気タービンに取り替える工事において、前記蒸気タービンの横置き円筒形の内部ケーシングを軸方向に上下二分割したうち内部ケーシング下半を、タービン建屋の天井に設置された天井クレーンで吊り上げるために吊りワイヤを掛けるのに利用する玉掛け装置であって、
前記内部ケーシング下半の水平フランジ面にボルトで締結される板状構造の吊りプレートを備え、前記吊りプレートの上面に、吊りワイヤが接続される吊りボルトを、少なくとも方形の頂点４箇所に配置したことを特徴とする発電プラントにおける蒸気タービンの内部ケーシング下半吊り上げ用玉掛け装置。
【請求項２】
前記吊りプレートの下面には、前記吊りボルトが４箇所に設置される底部を有する半円筒状に凹んだ構造を有し前記内部ケーシング下半の内径部に収容可能である吊り上げボルト取付部が一体に設けられていることを特徴とする請求項１に記載の発電プラントにおける蒸気タービンの内部ケーシング下半吊り上げ用玉掛け装置。
【請求項３】
前記吊り上げボルトは、前記吊りプレートの長手方向の中心線に近づけるようにして前記内部ケーシング下半の直径方向の吊り位置間隔が小さくなるようにしたことを特徴とする請求項１に記載の発電プラントにおける蒸気タービンの内部ケーシング下半吊り上げ用玉掛け装置。
【請求項４】
前記吊りプレートの上面には、前記内部ケーシング下半を吊り上げたときの水平バランスを調整するためのバランスウェイトが着脱可能に取り付けられることを特徴とする請求項１または２に記載の発電プラントにおける蒸気タービンの内部ケーシング下半吊り上げ用玉掛け装置。
【請求項５】
発電プラントに設置された既設の蒸気タービンを新製する蒸気タービンに取り替える工事において、前記蒸気タービンの横置き円筒形の内部ケーシングを軸方向に上下二分割したうち内部ケーシング下半を、タービン建屋の天井に設置された天井クレーンで吊り上げる方法であって、
前記内部ケーシング下半の水平フランジ面にボルトで締結される板状構造の吊りプレートを用い、
前記吊りプレート上面の少なくとも方形の頂点４箇所に吊りワイヤが接続される吊りボルトを配置した当該吊りプレートを前記内部ケーシング下半に取り付け、
前記天井クレーンのフックと前記各吊りボルトの間に吊りワイヤを玉掛けして４点吊りすることを特徴とする発電プラントにおける蒸気タービンの内部ケーシング下半吊り上げ方法。
【請求項６】
前記吊り上げボルトは、前記吊りプレートの長手方向の中心線に近づけるようにして前記内部ケーシング下半の直径方向の吊り位置間隔が小さくなるように配置したことを特徴とする請求項５に記載の発電プラントにおける蒸気タービンの内部ケーシング下半吊り上げ方法。
【請求項７】
前記内部ケーシング下半は、抽気エキスパンションが取り付けられた状態で吊り上げられることを特徴とする請求項５に記載の発電プラントにおける蒸気タービンの内部ケーシング下半吊り上げ方法。
【発明の詳細な説明】
【技術分野】
【０００１】
本発明の実施形態は、発電プラントにおける蒸気タービンの取替に際して内部ケーシング下半を天井クレーンで吊り上げるために使用される内部ケーシング下半吊り上げ用玉掛け装置に関する。
【背景技術】
【０００２】
発電プラントにおける蒸気タービンのうち、低圧タービンは、外部ケーシングと内部ケーシングとの２重構造になっている。そして外部ケーシング、内部ケーシングは上下分割構造になっている。
【０００３】
図７において、低圧タービン１５を取り替える場合、廃却するタービンの分解は天井クレーン（図示せず）を使用し、外部ケーシング上半１を吊り上げた後、内部ケーシング上半２、ノズルダイヤフラム上半３、ロータ４、ノズルダイヤフラム下半５、内部ケーシング下半６の順で行う。
【０００４】
一方、新製する蒸気タービンを据え付ける場合は、撤去の手順とは逆に、内部ケーシング下半６、ノズルダイヤフラム下半５、ロータ４、ノズルダイヤフラム上半３、内部ケーシング上半２、外部ケーシング上半１の順に据え付けていく。
【０００５】
内部ケーシング下半６は大型の金属板を半円状に曲げ、その板の内側に曲げ方向およびその垂直方向に多数の補強板を取り付けた構造となっており、横置き円筒型で上下２分割の構造をなし、分割面は水平フランジのボルト締めとなっている。据え付け時は水平フランジ面が上となるように据え付ける。
【０００６】
発電プラントにおける蒸気タービン取り替えにおいて、内部ケーシング下半６を据え付ける際には、内部ケーシング下半６をタービン建屋に搬入した後、タービン建屋内の天井クレーンにより吊り上げ、大物搬入口から内部ケーシング下半６の据付位置まで移動することとなる。このような蒸気タービンの取替工法に関する従来技術としては、例えば、特許文献１、２を挙げることができる。
【０００７】
従来、内部ケーシング下半６を吊り上げるには、内部ケーシング下半６の最外部かつ上部に位置するトラニオンや水平締付ボルト孔に設置した吊り上げボルトを用い、計４点で吊り上げる。
【０００８】
内部ケーシング下半６の内部にはノズルダイヤフラム下半５が規則的な間隔で１０数枚嵌る構造となっている。また内部ケーシング下半６に組み込んだノズルダイヤフラム下半同士の隙間にはノズルダイヤフラム下半５を据え付けた後に据え付けることとなるロータの羽根がその隙間に完全に入り込むことになる。
【０００９】
内部ケーシング下半６は、大型重量物である。ワイヤ８を使用して４点で内部ケーシング下半６を吊り上げる場合、内部ケーシング下半６自体が大型であること、また内部ケーシング下半６の内面に吊り上げボルトなどを設置できないことから、図８に示すように、吊り点位置の間隔Ａが大きくなる。このため、天井クレーン７ａでの吊りワイヤ８のなす角度θも大きくなる。
【００１０】
天井クレーン７ａでの吊りワイヤ８の角度θが大きくなると、その分だけ吊りワイヤ８にかかる張力の水平方向成分が大きくなり、結果的に吊りワイヤ８にかかる張力が大きくなる。
【００１１】
また、内部ケーシング下半６に取り付けるトラニオン９や吊り上げボルトなどの構造においても、吊りワイヤ角度θが大きくなると、内部ケーシング下半６の重量および吊りワイヤ８の水平方向成分の合力に耐えうる強度設計が必要となる。
【００１２】
このようなことから、内部ケーシング下半６を吊り上げる際には、天井クレーン７ａでの吊りワイヤ８の角度θはできるだけ小さくして、吊りワイヤ８や吊り上げボルト９にかかる力をできるだけ小さくして吊り上げる必要がある。この結果、従来は天井クレーン７ａのフック７から内部ケーシング下半６の吊り上げ点までの鉛直方向の距離Ｈを長くとることになる。
【００１３】
ところで、内部ケーシング下半６の取り替え工事では、内部ケーシング下半６の下部に抽気エキスパンション１０を取り付けた状態で吊り上げて搬入することがある。これは次のような理由による。
【００１４】
ここで、図９は、内部ケーシング下半６の下部に設置されている復水器１３内の構成の概要を示す。復水器１３の内部においては、内部ケーシング下半６の下部には、抽気エキスパンション１０を介して抽気管１１が接続されており、この抽気管１１の先は給水加熱器１２に通じている。
【００１５】
低圧タービン１５を新しい内部ケーシングに取り替える場合、既設の抽気管１１の位置と製作誤差上ずれが発生するため、内部ケーシング取り替えと同時に抽気エキスパンション１０を交換することが一般的である。
【００１６】
内部ケーシング下半６を取り替えるためには、復水器１３の中にある抽気管１１を切断して古い内部ケーシング下半６を搬出する。そして、新しい内部ケーシング下半６を搬入後、抽気管１１を接続する必要がある。
【００１７】
抽気管１１は、内部ケーシング１台につき１０数本接続されており、抽気管１１同士の間隔は狭く、また抽気管１１の回りには外部ケーシングのリブなどが複雑に錯綜している。このため、抽気管１１の切断、接続の作業性は悪く、抽気管１１の切断、接続作業には時間を要することになる。
【００１８】
そこで、抽気管１１の切断、接続工事の工期を短縮するために、近年では、タービン建屋搬入前に内部ケーシング下半６に抽気エキスパンション１０を取り付けておき、抽気エキスパンション１０と一体で内部ケーシング下半６を据え付ける工法が採用されている。この工法によれば、内部ケーシング下半６と抽気エキスパンション１０との切断位置、溶接位置を１本の抽気管１１について２箇所から１箇所に減らすことができるので、その分工事期間を短縮することができるようになる。
【先行技術文献】
【特許文献】
【００１９】
【特許文献１】特開２００１−３７０９号公報
【特許文献２】特開２０１１−４７２８７号公報
【発明の開示】
【発明が解決しようとする課題】
【００２０】
しかしながら、蒸気タービンの取替工事において、新しい内部ケーシング下半を据え付ける工程では、タービン建屋内に内部ケーシング下半を搬入した後、天井クレーンを使用して内部ケーシング下半を据付位置まで移動させることになる。
【００２１】
タービン建屋内のオペーレーティングフロア上では、低圧タービンの据付位置回りには、発電機や湿分電離器等の機器が設置されている。内部ケーシング下半を天井クレーンで吊り上げて移動する際には、これらの機器に吊り上げた内部ケーシング下半が干渉しないように移動する必要がある。
【００２２】
これは蒸気タービン取替工事に特有の問題であり、新規に発電プラントを建設する時にはない問題である。新規建設時に、内部ケーシング下半を据え付ける際に、あらかじめ干渉が想定される機器は、内部ケーシング下半を据え付けた後に据え付けるというように、機器を据え付ける順序を変更することで、干渉を容易に回避できるからである。
【００２３】
これに対して、蒸気タービンの取替工事では、吊り上げた内部ケーシング下半が既設の機器と干渉することが避けられず、しかもその機器を撤去することも困難な場合には、それが故に蒸気タービン取替の工事計画や設計計画を見直さなければならなくなる。
【００２４】
とりわけ、図８に示したように、内部ケーシング下半６に抽気エキスパンション１０を取り付けた状態のまま吊り上げて移動する場合には、もともと天井クレーン７ａのフック７から内部ケーシング下半６の吊り上げ点までの鉛直方向の距離Ｈを長くとっていた上に、抽気エキスパンション１０の長さも加わるので、内部ケーシング下半６の高さ方向の寸法がさらに長くなる。このため、移動する際に発電機や湿分分離器等の機器の上部を超えられずに、工事計画の大きな制約となることがある。
【００２５】
本発明は、前記従来技術の有する課題に鑑みなされたものであって、内部ケーシング下半を天井クレーンで吊り上げるときに、天井クレーンのフックから内部ケーシングの吊り位置までの鉛直方向の距離をできるだけ短くし、発電機や湿分分離器等の機器との干渉を回避できるようにする蒸気タービンの内部ケーシング下半吊り上げ用玉掛け装置および内部ケーシング下半の吊り上げ方法を提供することを目的とする。
【課題を解決するための手段】
【００２６】
前記の目的を達成するために、本発明は、発電プラントに設置された既設の蒸気タービンを新製する蒸気タービンに取り替える工事において、前記蒸気タービンの横置き円筒形の内部ケーシングを軸方向に上下二分割したうち内部ケーシング下半を、タービン建屋の天井に設置された天井クレーンで吊り上げるために吊りワイヤを掛けるのに利用する玉掛け装置であって、前記内部ケーシング下半の水平フランジ面にボルトで締結される板状構造の吊りプレートを備え、前記吊りプレートの上面に、吊りワイヤが接続される吊りボルトを、少なくとも方形の頂点４箇所に配置したことを特徴とするものである。
【００２７】
また、本発明は、発電プラントに設置された既設の蒸気タービンを新製する蒸気タービンに取り替える工事において、前記蒸気タービンの横置き円筒形の内部ケーシングを軸方向に上下二分割したうち内部ケーシング下半を、タービン建屋の天井に設置された天井クレーンで吊り上げる方法であって、前記内部ケーシング下半の水平フランジ面にボルトで締結される板状構造の吊りプレートを用い、前記吊りプレート上面の少なくとも方形の頂点４箇所に吊りワイヤが接続される吊りボルトを配置した当該吊りプレートを前記内部ケーシング下半に取り付け、前記天井クレーンのフックと前記各吊りボルトの間に吊りワイヤを玉掛けして４点吊りすることを特徴とするものである。
【発明の効果】
【００２８】
本発明によれば、内部ケーシング下半を天井クレーンで吊り上げるときに、天井クレーンのフックから内部ケーシングの吊り上げ位置までの鉛直方向の距離を短くすることができる。
【図面の簡単な説明】
【００２９】
【図１】本発明の第１実施形態による吊り上げ用玉掛け装置を用いて内部ケーシング下半を吊り上げた状態を示す正面図である。
【図２】本発明の第１実施形態による吊り上げ用玉掛け装置を示す斜視図である。
【図３】本発明の第１実施形態による吊り上げ用玉掛け装置を用いて内部ケーシング下半を吊り上げたときの作用の説明に供する正面図である。
【図４】本発明の第２実施形態による吊り上げ用玉掛け装置を用いて内部ケーシング下半を吊り上げた状態を示す正面図である。
【図５】本発明の第３実施形態による吊り上げ用玉掛け装置を示す斜視図である。
【図６】本発明の第２実施形態による吊り上げ用玉掛け装置を用いて内部ケーシング下半を吊り上げた状態を示す正面図である。
【図７】低圧タービンを取り替える作業における吊り順序を示す斜視図である。
【図８】内部ケーシング下半を吊り上げる従来の方法を示す正面図である。
【図９】内部ケーシング下半の下部に設置されている復水器の概要図である。
【発明を実施するための形態】
【００３０】
以下、本発明による蒸気タービンの内部ケーシング下半吊り上げ用玉掛け装置の実施形態について、添付の図面を参照しながら説明する。
【００３１】
第１実施形態
図１において、参照番号６は、発電プラントにおける蒸気タービンのうち、低圧タービンの内部ケーシング下半を示す。内部ケーシングは、上下２分割の構造になっており、内部ケーシング下半６と、図示しない内部ケーシング上半とで対をなして横置き円筒型の内部ケーシングを構成している。
【００３２】
この実施形態では、内部ケーシング下半６を天井クレーンで吊り上げるに当たって、図８で示したように、トラニオン９をワイヤ４点吊りの吊り位置として、各トラニオン９と天井クレーン７ａのフック７に吊りワイヤ８を掛けて吊り上げるのではなく、次のような構成の専用の玉掛け装置を利用して吊り上げるようにしている。
【００３３】
図１並びに図２において、参照番号２０は、本実施形態による玉掛け装置を示す。この玉掛け装置２０は、方形板状で剛性のある厚い鉄製の吊りプレート２２を含む。この吊りプレート２２は、内部ケーシング下半６の幅に対応した幅方向の長さを有している。図２に示されるように、吊りプレート２２の外周部には、ボルト孔２３が内部ケーシング下半６の水平フランジ面１４のボルト孔に対応するように配列されている。吊りプレート２２は、これらのボルト孔２３から締め込まれる図示しないボルトを用いて水平フランジ面１４に締結される。
【００３４】
図２に示されるように、吊りプレート２２の上面には、Ｕ字形の吊りボルト２４ａ乃至２４ｄが４箇所に取り付けられている。これらの吊りボルト２４ａ乃至２４ｄは、吊りプレート２２の中央部において方形の対角線上に配置されている。
【００３５】
天井クレーン７ａのフック７には吊りワイヤ８が掛けられている。吊りワイヤ８の下端は各吊りボルト２４ａ乃至２４ｄに接続され、内部ケーシング下半６は、吊りプレート２２と一体で４点吊りによって吊り上げられるようになっている。
【００３６】
このような吊りボルト２４ａ乃至２４ｄの取り付け位置は、好ましくは、次のように設定することが好ましい。
【００３７】
吊りプレート２２を内部ケーシング下半６に取り付けた状態では、吊りプレート２２の長さ方向の中心線を基準にすると、吊りプレート２２の長さ方向は内部ケーシング下半６の軸方向に平行である。吊りプレート２２の幅方向は、内部ケーシング下半６の半径方向に平行である。
【００３８】
４つある吊りボルト２４ａ乃至２４ｄのうち、図２において中心線の左側でボルト孔２３の配列の内側に吊りボルト２４ａ、２４ｂが配置されている。同様に中心線の右側にはボルト孔２３の配列の内側に吊りボルト２４ｃ、２４ｄが配置されている。
【００３９】
この場合、吊りボルト２４ａと吊りボルト２４ｄ、吊りボルト２４ｂと吊りボルト２４ｃの間隔は等しくなっており、図３において、この間隔は内部ケーシング下半６の直径方向の吊り位置の間隔Ａである。
【００４０】
この実施形態では、吊りボルト２４ａと吊りボルト２４ｄ、吊りボルト２４ｂと吊りボルト２４ｃの設置位置を中心線側に寄った位置に設定することで、内部ケーシング下半６の直径方向の吊り位置の間隔Ａを、吊り上げたときのバランス、安定性等を勘案しながら可能な範囲で短くするようにしている。
【００４１】
なお、吊りボルト２４ａと吊りボルト２４ｂの間隔と、吊りボルト２４ｃと吊りボルト２４ｄの間隔は、内部ケーシング下半６の軸方向の吊り位置間隔である。この軸方向の吊り位置間隔についても、同様に内部ケーシング下半６を吊り上げたときのバランス、安定性等を勘案しながら可能な範囲で短くすることが好ましい。
【００４２】
本実施形態による玉掛け装置は、以上のように構成されるものであり、次に、その作用並びに効果について説明する。
【００４３】
図３に示されるように、内部ケーシング下半６に本実施形態の吊りプレート２２を取り付け、天井クレーン７ａのフック７と各吊りボルト２４ａ乃至２４ｄに吊りワイヤ８を玉掛けして、４点吊りで内部ケーシング下半６を吊り上げる。
【００４４】
このようにして内部ケーシング下半６を吊り上げた状態で、吊りボルト２４ａ、２４ｃに掛けられた吊りワイヤ８がなす角度をθとし、この角度θを内部ケーシング下半６の直径方向での吊りワイヤ角度と呼ぶことにする。
【００４５】
大型でかつ非常に重量のある内部ケーシング下半６を安全に吊り上げる場合、吊りワイヤ角度θは、内部ケーシング下半６の重量や、使用する吊りワイヤ８の強度や各吊りボルト２４ａ乃至２４ｄの強度等の諸条件に基づいて、適当な角度に設定される。このような吊りワイヤ角度θに対応して、吊りボルト２４ａ乃至２４ｄの設置位置も決まることになる。
【００４６】
内部ケーシング下半６を安全に吊り上げるのに必要な吊りワイヤ角度θが所定の角度に設定されており、吊りワイヤ角度θが変わらない場合、内部ケーシング下半６の直径方向の吊り位置間隔Ａが大きいと、天井クレーン７ａのフック７から吊りボルト２４ａ乃至２４ｄまでの鉛直方向の距離、すなわち吊り上げ距離Ｈは大きくなり、逆に吊り位置間隔Ａが小さいと、吊り上げ距離Ｈは小さくなる。したがって、内部ケーシング下半６の直径方向の吊り位置間隔Ａを小さくした分だけ、天井クレーン７ａのフック７から吊り位置までの吊り上げ距離Ｈを小さくすることができる。
【００４７】
本実施形態のように、内部ケーシング下半６に吊りプレート２２を固定し、この吊りプレート２２の上面に吊りボルト２４ａ乃至２４ｄを取り付けているため、吊りボルト２４ａ、２４ｄ、吊りボルト２４ｂ、２４ｃの間隔、すなわち吊り位置間隔Ａを小さくできるので、吊り上げ距離Ｈを図８に示した従来の吊り上げ方に較べて大幅に小さくすることができる。
【００４８】
吊り上げ距離Ｈが小さくなることは、図１に示されるように、内部ケーシング下半６をより高い位置に吊り上げることが可能になることを意味するので、内部ケーシング下半６を天井クレーン７ａで吊って据付位置まで移動する際に、発電機などの他の機器との干渉を未然に防ぐことが可能になる。
【００４９】
とりわけ、本実施形態のように、内部ケーシング下半６に抽気エキスパンション１０を取り付けた状態で搬入する場合には、抽気エキスパンション１０が発電機などの機器を乗り越えられる高さまで内部ケーシング下半６を吊り上げることができるようになる。
【００５０】
また、内部ケーシング下半６を天井クレーン７ａで吊り上げるに当たって、図８で示した従来の吊り上げ方法のように、内部ケーシング下半６の水平フランジ部に取り付けてあるトラニオン９に吊りワイヤ８を掛けて吊り上げる場合には、内部ケーシング下半６に曲げの力がかかり変形する懸念があった。
【００５１】
これに対して、本実施形態によれば、内部ケーシング下半６に固定した吊りプレート２２に吊りボルト２４ａ乃至２４ｄを取り付けているため、内部ケーシング下半６の半径方向の吊り位置間隔Ａを小さくできるため、内部ケーシング下半６の変形を抑制することができる。なお、吊りプレート２２自体の変形が懸念される場合には、吊りプレート２２を厚くしたりリブを形成し剛性を高められるので問題はない。
【００５２】
なお、第１実施形態において、吊りボルトは方形の頂点４箇所に配置した例を示したが、５つ以上配置してその４箇所以上にワイヤ８を掛けて吊り上げることも可能である。
【００５３】
第２実施形態
次に、本発明の第２実施形態について、図４を参照して説明する。
この第２実施形態は、内部ケーシング下半６の水平フランジ面１４に吊りプレート２２が固定される点は第１実施形態と同様である。これに加えて、吊りプレート２２の下面には、吊りボルト２４ａ乃至２４ｄを取り付けるための吊りボルト取付け部３０が一体的に設けられている。
【００５４】
この実施形態では、吊りボルト取付け部３０は、内部ケーシング下半６の内径部に全体を収容可能なように半円筒形に凹んだ形状を有している。吊りボルト取付け部３０の底面３２には、吊りボルト２４ａ乃至２４ｄが取り付けられている。吊りプレート２２では、吊りボルト取付部３の上は開口になっている。
【００５５】
この第２実施形態のように、吊りプレート２２の下面に一体に設けた吊りボルト取付部３０に吊りボルト２４ａ乃至２４ｄを取り付けているため、吊りボルト２４ａ、２４ｄ、吊りボルト２４ｂ、２４ｃの間隔、すなわち内部ケーシング下半６の直径方向の吊り位置間隔Ａを小さくすることができ、吊り上げ距離Ｈを従来の吊り上げ方に較べて大幅に小さくすることができる。
【００５６】
しかも、吊り上げ距離Ｈが小さくなるだけでなく、吊り上げ距離の基準となる吊りボルト２４ａ乃至２４ｄの設置位置を、吊りプレート２２の上面よりも下の位置、すなわち内部ケーシング下半６内部のより下位の位置に設定することができる。
【００５７】
これによって、第２実施形態では、内部ケーシング下半６を第１実施形態に較べてもより高い位置に吊り上げることが可能になるので、内部ケーシング下半６を天井クレーン７ａで吊って据付位置まで移動する際に、発電機などの他の機器との干渉を未然に防ぐことが可能になる。
【００５８】
とりわけ、内部ケーシング下半６に抽気エキスパンション１０を取り付けた状態で搬入する場合には、抽気エキスパンション１０が発電機などの機器を余裕をもって乗り越えられる高さまで内部ケーシング下半６を吊り上げることができるようになる。
【００５９】
第３実施形態
次に、本発明の第３実施形態について、図５、図６を参照して説明する。
これまで説明してきた第１実施形態並びに第２実施形態では、内部ケーシング下半６を高く吊り上げられるように、直径方向の吊り位置間隔Ａを小さく設定していた。このような吊り方をすると、他方で、内部ケーシング下半６のバランスが安定せず、水平な姿勢で吊り上げることが難しくなり、据え付けることが困難になる可能性が想定される。
【００６０】
そこで、この第３実施形態では、内部ケーシング下半６を安定した水平な姿勢で吊り上げられるように、バランスウェイト３６を吊りプレート２２の上面に取り付けられるようにしている。
【００６１】
このバランスウェイト３６は、吊りプレート２２に配列しているボルト孔２３にねじ込んで着脱可能に取り付けられるようになっている。このため、内部ケーシング下半６を吊り上げたときに傾いてバランスのくずれている方の位置に適宜バランスウェイト３６を取り付けることによって、内部ケーシング下半６のバランスを容易に取ることが可能になる。
【００６２】
以上のように第３実施形態によれば、第１実施形態並びに第２実施形態と同様に、内部ケーシング下半６を据付位置まで移動する際に、高く吊り上げられるので他の機器との干渉を防ぐことができる上に、内部ケーシング下半６の水平バランスをとって水平な姿勢で移動することができるので、内部ケーシング下半６の据付作業を容易に行うことができる。
【００６３】
以上、本発明の実施形態を説明したが、これらの実施形態は、例示として挙げたもので、発明の範囲の制限を意図するものではない。もちろん、明細書に記載された新規な装置、方法およびシステムは、様々な形態で実施され得るものであり、さらに、本発明の主旨から逸脱しない範囲において、種々の省略、置換、変更が可能である。請求項およびそれらの均等物の範囲は、発明の主旨の範囲内で実施形態あるいはその改良物をカバーすることを意図している。
【符号の説明】
【００６４】
６…内部ケーシング下半、７…フック、８…吊りワイヤ、９…トラニオン、１０…抽気エキスパンション、１４…水平フランジ面、１５…低圧タービン、２０…玉掛け装置、２２…吊りプレート、２３…ボルト孔、２４ａ〜２４ｄ…吊りボルト、３０…吊りボルト取付部、３６…バランスウェイト
【図１】
2015071494.tif 000003
【図２】
2015071494.tif 000004
【図３】
2015071494.tif 000005
【図４】
2015071494.tif 000006
【図５】
2015071494.tif 000007
【図６】
2015071494.tif 000008
【図７】
2015071494.tif 000009
【図８】
2015071494.tif 000010
【図９】
2015071494.tif 000011